Podtech/llm-jp-corpus-v4-ja_patent huggingface dataset:
(57)【要約】      （修正有）【課題】浸漬用水溜まりタンクの苗載せ台から籾殻マット苗を円滑に移送する方法の提供。【解決手段】苗代培土代替軽量苗マットである籾殻苗マットの稲苗を円筒状の脱水（ロール）苗として巻き取り、これを浸漬用水溜苗載せタンクつき乗用田植機の浸漬用水溜苗載せタンクに搭載し、搭載した水浸漬籾殻苗を解舒し、乗用田植機の植え付け面（苗のせ台）上に展開し、先に解舒、田植機の植え付け面に展開した水浸漬籾殻苗の後端部と水浸漬籾殻苗の前端部を正確に接合して、変形・移動を防ぎ、乗用田植機の移植爪で、稲苗を正しくかきとり、代掻き後の田に正しく植え付ける。【選択図】図１
2018153169.tif 000002
【特許請求の範囲】
浸漬用水溜苗載せタンクつき田植機。
【発明の詳細な説明】
【０００１】  本発明は、苗代培土代替軽量苗マットである籾殻苗マットの稲苗を円筒状の脱水（ロール）苗として巻き取り、これを浸漬用水溜苗載せタンクつき乗用田植機の浸漬用水溜苗載せタンクに搭載し、搭載した水浸漬籾殻苗を解舒し、乗用田植機の植え付け面（苗のせ台）上に展開し、先に解舒、田植機の植え付け面に展開した水浸漬籾殻苗の後端部と水浸漬籾殻苗の前端部を正確に接合して、変形・移動を防ぎ、乗用田植機の移植爪で、稲苗を正しくかきとり、代掻き後の田に正しく植え付ける方法に関する。
【発明の概要】
【０００２】  この発明は、在来より長い育苗箱、育苗箱２個分の長さが望ましい、に籾殻苗シート・ロックウールシート・連続気泡尿素樹脂シート・木材パルプ成形シート等の苗代培土代替
2018153169.tif 000003
りに表面に敷いて，播種した種籾の棘毛・禾を毛羽に絡ませて固定する、特許第３４８６５２号による籾殻苗マットを用いる。
この籾殻苗シートの先端部分に、保水性のある稲苗培土を充填し、前端部重量付与籾殻苗マットとしてもよい。万一後述の浸漬不充分でも稲苗培土の重量により前記性能を発揮できる。
これを浸漬用水溜苗載せタンクつき乗用田植機の浸漬用水溜苗載せタンクに搭載する。
【発明が解決しようする課題】
【０００３】  籾殻苗マットを乗用田植機の植え付け面（苗のせ台）に展開した場合、摺動する苗かきとり面への苗の粘着・圧縮・縮小は起こらない。これは、粉砕籾殻が接着剤（ポリエステル）により相互に圧縮接着され、さらに圧縮しても弾力によりもとに戻るためであり、籾殻のざらつきで粘着も起こらない
発明の概要に述べたような苗代培土代替軽量苗マットは、籾殻苗マット以外はこの弾力が弱いため、摺動による圧縮縮小のまま摺動する苗かきとり面への苗の粘着がおこる。
圧縮・縮小・粘着・した苗の端は空所となり、欠株ができる。
また、苗代培土代替軽量苗シートは、育苗箱単位では培土に比べ遥かに軽いため、毛羽に絡ませて固定する方法を用いる場合、先に乗用田植機の植え付け面下部に解舒、展開した苗マットの後端部と、追加した苗マット前端部との接合が不良となり、欠株が生じる。
これは、苗代培土代替軽量苗マットが軽いため、展開した苗マットの後端部を押さえきれず揺動するために起こる現象で、十分な培土の覆土により防がれる。
苗代培土は、保水性のある造粒した土で作られ、一般的には、造粒床土・育苗培土・培土と呼ばれる。これに水をかける等で給水すると、発芽には差し支えないが、土粒が相互に結着して板状となり、剛性をあらわす。
水を含んだ苗代培土代替軽量苗マットは、苗代培土代替軽量苗マット等の上記の欠株を無くす性質を持つ。
このため苗代培土代替軽量苗シートは覆土をして用いられるので、重量軽減効果もたいしてないため普及も充分でない。
水きり籾殻苗マットを田植機に追加補充した場合、下の水きり籾殻苗マットの下部は移
2018153169.tif 000004
変形しやすくかきとり不調となり、苗植え付けは乱れる。
【課題を解決するための手段】
【０００４】  欠株が生じる原因は、先に田植機の植え付け面に展開した水きり籾殻苗マットの後端部と、追加補充した水きり籾殻苗マット前端部との接合が軽く、接合不良となるため、欠株が生じる
本発明は、下の水きり籾殻苗マットの数センチ長さの残部の変動・変形と、変形部かきとり過大による不整形化を防ぎ、稲苗を正しくかきとり、代掻き後の田に正しく植え付ける、きちんとした整列植え付け可能にする。
図をもって説明すれば、第１図は浸漬用水溜苗載せタンクつき田植機で、植え付け面（苗のせ台）２とエンジン・油圧発生機等ボックス３後部の間の数十センチ幅の隙間に、上面を開けた植え付け面（苗のせ台）２の横幅と、同尺の浸漬用水溜苗載せタンク１が支持棒５を介して田植機に取り付けられる。
籾殻苗マット浸漬用水溜苗載せタンク１の高さは、育苗箱横幅より大きく３０数センチが望ましい。下限はその二分の一で、巻き取った籾殻苗マット４を反転し、浸漬出来るようにする。
給水ポンプははぶいてもよく。水路からバケツで給水すればよい。排水口はゴム栓で間に合う。
第２図は育苗終期の籾殻苗で、水切り状態で数日置き軽くしたものを巻き取って、脱水籾殻苗マット４としている状態である。
2018153169.tif 000005
起ち腐植する資材６で端部を包みほつれを防いでいる。
播種した種子７の根は伸びて資材６を貫通し、籾殻苗マット４を形成する。
【図面の簡単な説明】
【０００５】  第１図は浸漬用水溜苗載せタンクつき田植機
第２図は育苗終期の籾殻苗
第３図は第２図Ａ−Ｂ線縦（長手）の断面図
【発明を実施するための形態】
【０００６】第１図
【符号の説明】
【０００７】  ２は植え付け面（苗のせ台）
３はエンジン・油圧発生機等ボックス
４は籾殻苗マット
５は支持棒
６は資材。
７は種子
【図１】
2018153169.tif 000006
【図２】
2018153169.tif 000007
【図３】
2018153169.tif 000008
(57)【要約】      （修正有）【課題】高齢化による尿道、尿管の弛みを回復、復元し尿管、尿道内に残留している尿の排出をスムーズにして、排尿後の尿のあと漏れを無くすることを可能にする簡単で且つ安価な押圧刺激効果を得る装具を提供する。【解決手段】下着（パンツ）の胴体部分での滑り止めの位置に使用するゴム紐１もしくは紐の左右の骨盤辺りの位置から前下方向に向けて、ゴム紐状のもの２を半円状にして吊り下げ、その一番下部が泌尿器の陰嚢の後ろの両足との間に位置する長さに調節したものを取り付ける。その紐はゴムの伸縮性により幾分上部に引き上げられる状態に固定され、結果的に尿道を上部に引き上げ押圧刺激することとなる。【選択図】図１
2018153601.tif 000002
【特許請求の範囲】
【請求項１】
残尿漏れの原因は、高齢化、前立腺の疾患等の理由により排尿の際、膀胱から尿道に排尿が流れる時に尿道が直線的な傾斜を保持しておれば、何等残尿が起こることは無いが、その尿道が高齢化または前立腺の肥大などにより筋肉の弛緩を起こし、その結果尿管の弛みを生じ、下部に婉曲することにより、所謂尿溜り現象を起こすことにより排尿の全量を一気に排尿出来ないのが主な原因である事が医学的に解明されている。そこで当発明はその排尿の所謂「あとこぼれ」の排尿を、根本的な解決手段として、装着するだけで押圧刺激効果を与え残尿自体が尿道ないしは尿管に残留させないように工夫した人体に悪影響の無い簡単で安価な装着物を装具として発明し提供するものである。
【請求項２】
現在、残尿漏れ対策として実用化されているものとして、追っかけもれ対策としての商品が販売されているが所詮は紙おむつであり基本的に残尿漏れを解決するものではない。又使用後の製品の処理にも一々廃棄処理する必要が有り、ましてや如何に排尿を固形化したにせよ、ある程度の一定期間は身体に装着した状態で居なければ成らなかった。その状態は使用者にとっては、心地良いものとは言い難いものであった。
ましてや、所詮は消耗品で有るが為に少なくとも一日に一度は交換する必要が有り、手間が掛かり、高価なものにつくのが事実であり、尚且つ使用者にその都度の交換は精神的、経済的負担を強要するものであり、何等残尿こぼれの基本的な解決にはならないのが事実である。
【請求項３】
そこで当該発明製品に於いては、その残尿後の尿漏れ自体を皆無にするために開発したものであり、所謂医学的手法としての押圧刺激効果を得るためのミルキング効果と呼ばれるものである。
【請求項４】
当該製品に於いては、使用者において何等健康上の問題を生じることは無く装着の抵抗感を生じることも無く普通の生活を送ることが出来る。また漏洩した尿が身体に付着する不快感や衣類を汚すことが無い。
【発明の詳細な説明】
【発明の詳細な説明】
【技術分野】
【０００１】排尿後において残尿漏れを常習的に体験する中高年男子の下着（パンツ）の胴体部分での滑り止めの位置に使用するゴム紐もしくは紐の左右の骨盤辺りの位置から前下方向に向けて、ゴム紐状のものを半円状にして吊り下げ、その一番下部が泌尿器の陰嚢の後ろの両足との間に位置する長さに調節したものを取り付ける。その紐はゴムの伸縮性により幾分上部に引き上げられる状態に固定する。それは結果的に尿道を上部に引き上げ押圧刺激することとなる。【０００２】吊り下げのゴム紐は必ずしも下着（パンツ等）に固定する必要は無く、胴体の腹部とりわけ骨盤上部に滑り止めの要件を満たす帯状のもので有れば、腰紐、細紐状、ベルト、ゴム紐等単体のものでも構わない。【０００３】そこから吊り下げるゴム紐の形状については細過ぎても、幅が太過ぎても、その効果を上げることが出来ない。細過ぎると肌に傷を付けたり、痛みを感じさせることが有る。又太すぎると効果のある場所に固定することが出来ず効果を上げることが不能になる。所謂、押圧刺激効果が有ることを要する。【０００４】腰紐に取り付けるゴム状紐の取り付け位置については、予め体型差により、決めることも出来るがより正確を期するために、取り付け位置を自由に変更出来るようにフリーサイズの予備位置を作っておくことが可能である。それはボタンやホックまたはマジックテープなどでも可能である。【０００５】パンツのゴム紐を利用する場合のパンツの種類はブリーフ型、トランス型とかのすべての形状を含むこととする。【０００６】腰紐から吊り下げる尿道、尿管の引き上げる為のゴム紐の長さについても、個人差に適応する位置決めを任意に出来るように腰紐に接続させる位置決めをフリーサイズになるように工夫をする。
【背景技術】
【特許文献】
【発明が解決しょうとする課題】
【０００７】排尿後における残尿の無意識下における漏れの防止を物理的手段により解決する事を目的とした発明である。
【課題を解決するための手段】
【０００８】高齢化による尿道、尿管の弛みを回復、復元し尿管、尿道内に残留している尿の排出をスムーズにして、排尿後の尿のあと漏れを無くすることを可能にする装具を開発した。
【０００９】紙おむつ等の吸水剤を一切使用せずに、尿の後漏れ自体を無くすることを可能にした。
【発明の効果】
【００１０】排尿が終った後の、あともれ、おっかけもれが無くなり、衣服の汚れや、肌につく不快感を解消し、紙おむつ等の使用を不要にした。
【００１１】装具は装着したままで全ての歩行を含む日常生活を阻害することは無く、そのままでの就寝も抵抗感は無く着用が可能である。
【００１２】パンツ装着型のものに付いては、パンツの交換時にパンツを履き替えれば済む。そのままの一体での洗濯が可能である。
【００１３】単独型装着式装具の交換時期は使用者が不潔感を感じるまでの使用が可能である。
【発明を実施するための最良の形態】
【００１４】以下、本発明の排尿後尿滴下防止装置について、添付図面を参照にしつつ説明する。
＜第一実施形態＞
2018153601.tif 000003
【特許の範囲】
＜第二実施形態により説明する＞
【００１５】次ページの模式図により説明する。
１．のゴムベルトについては、ゴム帯の伸縮による滑り止め、単に紐を結ぶことによる滑り止め、マジックテープ等による滑り止め等すべての種類を含むものとする。
２．のゴム紐についても金属等を除く肌に優しい全ての素材を含むものとする。
３．のフリーサイズの位置決めの手段としては、釦、ホック、マジックテープなどの全ての方法を含むものとする。
４．の装具のみの使用の場合においては、１．２．３．によるものとする。
５．のパンツに装着して使用する場合においては、既存の製品に２．のゴム紐等を後付する方法、又は既存のパンツに新たに１．のベルトを縫いつけて装着する等の方法を得ることとする。新たにパンツを製作する場合においては、１．の滑り止めゴム紐については、２．の装具のゴム紐の利用効果を充分に考慮して製作するものとする。
【図面の簡単な説明】
【図１】  排尿後尿滴下防止装具の模式図
【図１】
2018153601.tif 000004
(57)【要約】      （修正有）【課題】化石燃料（特に石油資源）枯渇後の代替エネルギー発生源として考案された。【解決手段】天秤型状をしており、アーム４００，４００′の両端に円筒状の落下片３００，３００′が夫々ぶら下っており、交互に落下する事でシャフト７００を左右に揺動し、駆動軸８００を作動し、負荷〔エネルギー発生装置８０１〕を作動する。【選択図】図１
2018153066.tif 000002
【特許請求の範囲】
【請求項１】
本件は天秤型状をしておりアーム・４００，４００′の両端に円筒状の落下片・３００，３００′が夫々ぶら下っており交互に落下する事でシャフト・７００を左右に揺動し駆動軸・８００を作動し負荷〔エネルギー発生装置・８０１（省略）〕を作動するものである。
なお落下片・３００，３００′の先端には夫々強力なネオジム磁石のＮ極・３０１，３０１′が取付られており，その円筒状の胴体には夫々つば・３０２，３０２′が取付られており，そのつばには夫々リム・３０３，３０３′
2018153066.tif 000010
する様になっているのである。
これに対応する様に円筒状をした落下片受止台・１００，１００′があり強力なネオジム磁石Ｓ極・１０１，１０１′が夫々取付られており更にその上面にはゴムパッキン１０２，１０２′が夫々リング状に張り付られておりＮ・Ｓのドッキングをブロックする様になっているのである
【請求項２】
またアーム・４００，４００′の中心のリブ・５００の中は空洞になっておりブースタ液・６００が入っており間仕切・５０１，５０２，５０２′で仕切られており，ブースタ液・６００の注入口・６０１，エアードレーンのパイプ・６０２が取付られており，ブースタ液が勢よく落下側に流入する様になっているのである。
【発明の詳細な説明】
【技術分野】
【０００１】本件は天秤型を採用しているが，これは天秤型特有の復元力発生を利用しているためである。【０００２】またブースタ液・６００には有機ブライン（エチレングリコール，プロビレングリコール）等々の注入（凍結防止）が望ましいのである。【０００３】更にまた吸引用磁石にネオジムが使用されているが，強力な吸引力のある磁石ならば代替可能である。【０００４】
2018153066.tif 000003
ど太くなっており，弾力を増大する様になっているのである（図１では省略）。【０００５】今，落下片のつば・３０２を紐等で強力に引下
2018153066.tif 000004
とネオジム磁石の強力な吸引力で圧縮され，ドッキング寸前でゴムパッキン・１０２でブロックされ，ひるんだ瞬間猛烈な勢いで落下片つば３０２を，はね飛ばす様になっているのである。
すると今度は落下片・３００′が猛烈な勢い
2018153066.tif 000005
に，はね飛ばされる・・・・このくり返しとなるのである。【０００６】  またシャフト・７００の左右揺動運動をボス・７０１を介して駆動軸・８００に連結されており負荷・８０１は既成の技術で充分可能であるので割愛されているのである。
【図面の簡単な説明】
【０００７】
【図１】図１は本件の天秤型のニュートラル（シャフト・７００が垂直状）の断面図であるが，作動原理説明図でもあるので部分的にテクニカルイラストレーション的に表示されている所が若干あるのである。また左右対称形であるので右側にはダッシュが付いているのである。さらに引出線は曲線で表示されており引出線の交雜を防止しているのである。  さらに又本件では落下片が急落下し極めて危険なので防護棚を取付る必要があり９０１，９０１′がその取付ボルトである。  また駆動軸・８００，及び発電装置・８０１はベアリング付支柱で支持されているのである。（図１では省略）
【符号の説明】
【０００８】１００，１００′  落下片受止台（円筒状）
１０１，１０１′  ネオジム磁石Ｓ極
１０２，１０２′  ゴムパッキン
2018153066.tif 000006
３００，３００′  落下片（円筒状）
３０１，３０１′  ネオジム磁石Ｎ極
2018153066.tif 000007
３０３，３０３′  同上      リム
４００，４００′  天秤型用アーム
５００            同上      リブ
５０１            ブースタ液間仕切（下部）
５０２，５０２′  アーム内左右間仕切
６００            ブースタ液
６０１            同上注入口
2018153066.tif 000008
６０３            ブースタ液面計（省略）
７００            シャフト
７０１            同上ボス
８００            駆動軸
８０１            発電装置一式（省略）
2018153066.tif 000009
９０１，９０１′  防護棚取付ボルト
９０２，９０２′  支持フレーム取付アンカーボルト（省略）
１０００          駆動軸支持柱（ベアリング使用）（省略）
【図１】
2018153066.tif 000011
(57)【要約】      （修正有）【課題】ペットを散歩するとき綱、その他を持っている為、ペットのふんを処理するとき、両手を使うのが不便なので片手でふんを処理できるふん処理ボックスを提供する。【解決手段】処理ボックスにボックスフタ２を設けてボックスの上に馬形Ｕ字リング５を設ける。フタ開け棒３をフタの連結板に連結し、更にフタ開け棒固定板の穴にフタ開け棒３を通し、前後自在に動くようにし馬形Ｕ字リング５を手で握りフタ開け棒３を指で馬形Ｕ字リング５の中に押し上げてフタ２を開ける。また馬形Ｕ字リング５のＵ字リングの部分に指を入れて持ち歩くペットふん処理ボックスである。【選択図】図２
2018161120.tif 000002
【特許請求の範囲】
【請求項１】
処理ボックス（１）のボックスフタ（２）を設けてボックス（１）の上に馬形Ｕ字リングを設けフタ開け棒（３）とフタの連結板（４）と連結し、フタ開け棒、固定板（６）の穴に通し、前後自在に動けるように連携してフタを開ける装置、構造のペットふん処理ボックスである。
【発明の詳細な説明】
【技術分野】
【０００１】ふん処理ボックスのフタを片手で開け、片手でふんを処理できる。
ふん処理ボックスである。
【背景技術】
【０００２】ペットのふんを処理する時、両手を使いビニール袋に入れていた。
【先行技術文献】
【０００３】
【発明の概要】
【発明が解決しようとする課題】
【０００４】次のような不便があった。ペットの散歩の時に網、その他を持っているので両手を使うのは不便である。本発明は、以上のような点を補うためである。
【課題を解決するための手段】
【０００５】処理ボックス（１）にフタを設けて（２）ボックス（１）の上に馬形Ｕ字リングを設けて、フタ開け棒（３）をフタの連結板（４）に連結し、更にフタ開け棒、固定板（６）の穴に（３）を通し、前後自在に動くようにし、馬形Ｕ字リング（５）を手で握り（３）を指で（５）の中に押し上げて（２）を開ける。
また（５）のＵ字リングの部分に指を入れて持ち歩く、ペットふん処理ボックスである。
【発明の効果】
【０００６】ふん処理ボックス（１）のフタ（２）馬形Ｕ字リング、フタ開け装置（３）（４）（５）（６）（７）が一体化になっているので、片手によりフタを開けることができ、ペットの綱が手から離れることがなく力が強いペットはふん処理が安全である。
【図面の簡単な説明】
【０００７】
【図１】斜視図
【図２】フタを開けた斜視図
【発明実施するための形態】
【０００８】以下、本発明を実施するための形態について説明する。
ふん処理ボックス（１）にボックスフタ（２）を設けて、フタ開け棒（３）フタ開け棒の連結板（４）と連結し、フタ開け棒、固定板（６）の穴に通し、前後自在に動けるよう連携して組み立てる構造である。これを使用する時は馬形Ｕ字リングを手で握り、フタ開け棒を指で下から上へ馬形Ｕ字リングの中に押し上げ、フタを開けてふんをボックスの中にすくい取る
以上の本発明の点線の部位は埋込式でプラスチック類、金属などで製作する。
【符号の説明】
【０００９】（１）ふん処理ボックス
（２）ボックスフタ
（３）フタ開け棒
（４）フタの連結板
（５）馬形Ｕ字リング
（６）フタ開け棒固定板
（７）蝶つがい板
【図１】
2018161120.tif 000003
【図２】
2018161120.tif 000004
(57)【要約】【課題】内側が黒または暗色系の色彩のものが多いことにより、中が暗くなりがちであるカバンやバッグ類において、手探りなどではなく、外部環境に左右されることなく、目で微小な物品までも容易に識別出来、また取り出しやすくしようとするものである。【解決手段】ＬＥＤ並びにボタン電池等を用いた照明器具を取り付け、カバンやバッグの中を直接照射させる。【選択図】なし【特許請求の範囲】
【請求項１】
内側上部又は内側側面に、照明器具を取り付けたカバン・バッグ類
【請求項２】
その外側にスイッチ等操作部を配置し、発光部を内側上部又は内側側面に配置する照明器具を取り付けたカバン・バッグ類
【請求項３】
請求項１乃至２において、カバン等を開けたときに自動点灯するようにした照明器具
【請求項４】
請求項１乃至３に使用する目的で製造された照明器具
【発明の詳細な説明】
【技術分野】
【０００１】
本発明は、カバンやバッグの中を明るく照らして、中にある物を識別しやすく、また取り出しやすくする装置に関するものである。
【背景技術】
【０００２】
カバンやバッグ類は、何故か内側が黒または暗色系の色彩のものが多く、当然中が暗い。
【発明の開示】
【発明が解決しようとする課題】
【０００３】
従来、カバンやバッグの中を見るためには、外からの光に頼るため、カバンやバッグ自体あるいは中の物を取ろうとする手などの影が出来やすく、小さい物など何処にあるかわかりにくくなりがちである。
【０００４】
当然、暗い環境下における作業は、より困難となってくる。
【０００５】
さらに、内側が黒または暗色系の色彩のものが多いカバンやバッグ類においては、当然その困難さを増す。
【０００６】
そのため、手探りで探してみたり、また諦めてしまうこともあったりするものである。
【０００７】
その後、忘れてしまい、何かの拍子に、またはカバンやバッグをひっくり返したときに、「あれ、こんな物も入っていた。」と気付かされたりもする。
【０００８】
そこで、解決しようとする問題点は、カバンやバッグの中を明るく照らして、中にある物を識別しやすく、また取り出しやすくする点にある。
【課題を解決するための手段】
【０００９】
解決するには、カバンやバッグの中を直接照射すればよい。
【００１０】
そこで、カバンやバッグに照明器具を取り付け、その発光部をそのカバンやバッグの内側に配置する。
【００１１】
ＬＥＤ並びにボタン電池等を使用することにより、発熱の心配もなく、消費電力も微少ですみ、極めて小さく、かつ軽量な装置の製作も可能である。
【００１２】
発光部に関しては、点発光よりも、線または面発光がより効果的である。
【発明の効果】
【００１３】
この装置により、カバンやバッグの中にある物は、微小な物品まで識別や取り出しが極めて容易となる。
【産業上の利用可能性】
【００１４】
この発明は、カバンやバッグをはじめ、移動・運搬可能な容器類に対して応用可能である。
(57)【要約】      （修正有）【課題】フック金具を簡単に取り付けることができるドライバーあるいは替えビットを提供する。【解決手段】フック金具用専用の替えビットとする。【選択図】図１
2018161737.tif 000002
【特許請求の範囲】
【請求項１】
電動ドリルの替えビットでフック金具用（洋灯吊り）専用の替えビット製品です。
【請求項２】
手動ドライバー（替えビット可能）のフック金具用（洋灯吊り）専用の替えビット製品です。
【請求項３】
あらゆるサイズのフック金具（洋灯吊り）に対応する為に内側は、ソフトシリコン、かゴムを貼る事で使用しやすくする。
【請求項４】
替えビット用でなく、個体のフック金具用（洋灯吊り）専用のドライバーも製品にする。
【発明の詳細な説明】
【発明の詳細な説明】
【０００１】本発明は、フック金具（洋灯吊り）を使用するのに、初めの部分で、何々ネジが入っていかなく、フックの部分を手でおさえても、一回一回フックから、はなさないと出来ないので大変やりにくいので、このフック金具（洋灯吊り）専用を使用する事で、フック部分が、固定される事で、スムーズに使用出来る。
今まで、この様な製品は、存在してなかった。
【背景技術】
【０００２】フック金具（洋灯吊り）を、サポートする製品は、まったく無かったので、使用不使で、何回も落す事があっていた。
【発明を実施するための形態】
【０００３】本発明によって、今までフック金具（洋灯吊り）を使用するに当り女性や子供でも、簡単に出来る。
【図面の簡単な説明】
【図１】本発明品の本体部分
【図２】フック金具（洋灯吊り）の付け方
【図３】電動ドリル用の替えビット（洋灯吊り）
【図４】手動ドライバー（替えビット可能品）と本発明品
【図５】個体としてのフック金具専用ドライバー
【図１】
2018161737.tif 000003
【図２】
2018161737.tif 000004
【図３】
2018161737.tif 000005
【図４】
2018161737.tif 000006
【図５】
2018161737.tif 000007
(57)【要約】      （修正有）【課題】包丁を單調に上下に動作させるだけで効率的にキャベツをスライスできる器具を提供する。【解決手段】ケース１の右端に所定の角度を有して設けられた傾斜板２の上部にスライド面３を、更に、中央部に突起部４を設けた器具とする。使用法は、包丁５の背の部分６で該スライド面３をやゝ垂直に押し上げることによりケース１の左端の下部を支点にしてケース１の右端を跳ね上げさせ、続いて、包丁５を振り下ろして包丁５の側面７を突起部４に当たらせ、その衝撃によってケース１全体を左方に移動させることを繰り返す。【選択図】図４
2018161738.tif 000002
【特許請求の範囲】
【請求項１】
ケース１の右端に所定の角度を有して設けられた傾斜板２の上部にスライド面３を、更に、中央部に位置して突起部４を設け、該スラド面を包丁５の背の部分６でやゝ垂直に押し上げてケース１の左端の下部を支点にしてケース１の右端を跳ね上げさせ、続いて、包丁５を振り下ろして包丁５の側面７を突起部４に当たらせ、その衝撃によってケース１全体を左方に移動させるように構成されたキャベツのスライス器の構造。
【発明の詳細な説明】
【技術分野】
【０００１】  本発明は、キャベツを効率良くスライスするための器具に関する。
【背景技術】
【０００２】  従来のキャベツのスライスに関しては、効率的に行えるものが見当らず、包丁で切るしかない不便さがあった。
【発明の概要】
【発明が解決しようとする課題】
【０００３】  本発明は、このような問題点を解決しようとするものであり、包丁を單調に上下に動作させることにより、効果的にスライスを行える器具を提供しようとするものである。【０００４】  そして、本発明は、上記目的を達成するために、ケースの右端に所定の角度を有して設けられた傾斜板の上部にスライド面を、更に、中央部に位置して突起部を設け、該スライド面を包丁の背の部分でやゝ垂直に押し上げてケースの左端の下部を支点にしてケースの右端を跳ね上げさせ、続いて、包丁を振り下ろして包丁の側面を突起部に当たらせ、その衝撃によってケース全体を左方に移動させるように構成したものである。
【発明の効果】
【０００５】  本発明のスライサーは、傾斜板と包丁を巧みに接触させることによって、効率よくスライスすることができ、簡単に使いなれて、高速で行えることも可能である。【０００６】  更に、包丁を振り下ろす際に、やゝ左方向に押し気味に押し込むように当てると、より確実にスライスすることができる。
【図面の簡単な説明】
【０００７】
【図１】  本発明の器具の立体図
【図２】  同器具の平面図
【図３】  同器具の図２のＡ−Ａ線の断面図
【図４】  同器具と包丁との動作図
【発明を実施するための形態】
【０００８】  以下、本発明の実施の形態を図１〜図４に基いて説明する。
【０００９】  図１は、ケース１の左端上部に設けられた支え部８と押え板９に設けられた押さえ棒１０を、各々、左手の側面と指先によってケースを支えるために取りつけられている。
【００１０】  図２には、押さえ板９と押さえ棒１０の位置関係が示されている。
【００１１】  図３には押さえ板９が示されて居り、ケース１の内部に入れたキャベツを軽く押え込むためのものである。又、傾斜板２とまな板１２とのなす角度は約６５度、突起部とのなす角度は約５５度とするのが良い。更に、突起部の下端とまな板との間隔は７ｃｍ位が良い。
【００１２】  図４には、包丁５と傾斜板２、及びケース１の各々の動きが、包丁で傾斜板を跳ね上げた際を実線で、包丁を振り下ろしてキャベツを切る際を破線で示している。
【符号の説明】
【００１３】  １、  ケース
２、  傾斜板
３、  スライド面
４、  突起部
５、  包丁
６、  包丁５の背の部分
７    包丁５の側面
８、  支え部
９、  押さえ板
１０、  押さえ棒
１１、  スプリング
１２、  まな板
１３、  ストッパー
【図１】
2018161738.tif 000003
【図２】
2018161738.tif 000004
【図３】
2018161738.tif 000005
【図４】
2018161738.tif 000006
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
ケース１の右端に所定の角度を有して設けられた傾斜板２の上部にスライド面３を、更に、中央部に位置して突起部４を設け、該スライド面を包丁５の背の部分６でやゝ垂直に押し上げてケース１の左端の下部を支点にしてケース１の右端を跳ね上げさせ、続いて、包丁５を振り下ろして包丁５の側面７を突起部４に当らせ、その衝撃によってケース１全体を左方に移動させるように構成されたキャベツのスライス器の構造。
(57)【要約】      （修正有）【課題】パンがふっくらと焼き上がり、しかも作る時間が短いパン作り器の提供する。【解決手段】容器状の本体の途中を金網やパンチングメタルで仕切り、上部に発酵及び焼成室１１を形成する。下部には水蒸気発生器１２を有し、この水蒸気発生器１２は水を入れる容器１２ａと、この容器内にヒーター１２ｂを設けることで水が過熱され、水蒸気となる。発生した水蒸気は、上部に近接して設けた水蒸気過熱用ヒーター１３ａ，１３ｂにて１００℃を超える温度に過熱され、過熱蒸気となり、発酵及び焼成室１１内に充満する。これにより、発酵及び焼成室内を還元雰囲気の状態で、発酵及び焼成する。【選択図】図１
2018161260.tif 000002
【特許請求の範囲】
【請求項１】
パンを作るための発酵及び焼成室と、
前記発酵及び焼成室に過熱蒸気を供給するための過熱蒸気発生手段と、
前記発酵及び焼成室を所定の温度に加熱するための加熱手段とを有することを特徴とするパン作り器。
【請求項２】
前記過熱蒸気発生手段は、水を入れる容器と、水を水蒸気にするためのヒーターと、前記水蒸気を１００℃以上の過熱蒸気にするための水蒸気過熱ヒーターとを有することを特徴とする請求項１記載のパン作り器。
【発明の詳細な説明】
【技術分野】
【０００１】
本発明は、パン生地の発酵及び焼成に適したパン作り器に関する。
【背景技術】
【０００２】
パンを作る場合に、一般的にはイースト菌を加えた粉類をこねて生地を作り、パンの形にした後に発酵工程と焼成工程を経て、パンが焼き上がる。
【０００３】
この発酵工程は、イースト菌の発酵に適した温度に加熱され、次の焼成工程はそれよりも高い１３０〜２００℃に調整され、焼き上がるものである。
この場合に従来、例えば特許文献１に示すように、周囲が空気の酸化雰囲気で加熱するものである。
しかし、このような酸化雰囲気では表面が焦げやすく、均一に焼き上がらない問題があった。
【先行技術文献】
【特許文献】
【０００４】
【特許文献１】特開２０１４−２２６３４９号公報
【発明の概要】
【発明が解決しようとする課題】
【０００５】
本発明は、パンがふっくらと焼き上がり、しかも作る時間が短いパン作り器の提供を目的とする。
【課題を解決するための手段】
【０００６】
本発明に係るパン作り器は、パンを作るための発酵及び焼成室と、前記発酵及び焼成室に過熱蒸気を供給するための過熱蒸気発生手段と、前記発酵及び焼成室を所定の温度に加熱するための加熱手段とを有することを特徴とする。
ここで、過熱蒸気とは１００℃の水蒸気をさらに過熱して１００℃を超える活性状態の水蒸気をいう。
このような過熱蒸気を発酵及び焼成室に供給してやると、この発酵及び焼成室中の空気が追い出され、その結果として酸素量が低下した還元雰囲気になる。
よって、本発明に用いる過熱蒸気は、従来のいわゆるスチームオーブンとは異なり、周囲を還元雰囲気にできるだけの僅かな量でよい。
本発明にて発酵及び焼成室と表現したのは、発酵と焼成との一方の工程のみに用いてもよく、両方の工程を連続的に行ってもよい趣旨である。
【０００７】
本発明に用いる過熱蒸気は、公知の過熱蒸気発生器を用いて発生させたものを発酵及び焼成室に供給してもよい。
また、過熱蒸気発生手段は、水を入れる容器と、水を水蒸気にするためのヒーターと、前記水蒸気を１００℃以上の過熱蒸気にするための水蒸気過熱ヒーターとを有するようにすることで、パン作り器に一体的に設けてもよい。
【発明の効果】
【０００８】
本発明に係るパン作り器は、還元雰囲気にて生地のイースト菌発酵をし、焼成するので、生地の酸化を防ぎ、ふっくらとしたパンが得られる。
従来の空気中の酸素による酸化状態にて発酵や焼成を行うのに比較して、次のような効果が認められる。
まず、従来は発酵に１時間以上かかっていたのに、本発明に係るパン作り器では２０〜３０分の短い発酵時間で済み、次の焼成工程を連続的に行うこともできる。
焼き上がり時間も表面の焦げが発生しにくく、従来よりも短い時間で焼き上がる。
第２に、パンの老化が遅くなり、長持ちするようになる。
【０００９】
本発明に係るパン作り器は、従来の小麦パンを作るのにも適用できるが、米粉パンを作るのにも有効である。
従来の米粉パンの多くは、パンを膨らませるために小麦グルテンが添加され、小麦アレルギーの方には食べられないものであった。
また、グルテン不使用の米粉パンの場合には、増粘剤やデンプンを加えたりしていた。
これに対して、本発明に係るパン作り器を用いると、還元雰囲気で一部α化した米粉に温水を加えてゲル化し、イースト菌や必要に応じて調味料を混ぜた生地を発酵及び焼成することで、ふっくらとしたグルテンフリーの米粉パンが得られる。
【図面の簡単な説明】
【００１０】
【図１】本発明に係るパン作り器の構造を模式的に示す。
【発明を実施するための形態】
【００１１】
図１に本発明に係るパン作り器の構造例を示す。
容器状の本体の途中を金網やパンチングメタルで仕切り、上部に発酵及び焼成室１１を形成してある。
図１では省略したが、この発酵及び焼成室１１の側面あるいは上面等に、食材の出し入れ口が開閉可能に設けられている。
【００１２】
下部には水蒸気発生器１２を有し、この水蒸気発生器１２は水を入れる容器１２ａと、この容器内にヒーター１２ｂを設けることで水が過熱され、水蒸気となる。
発生した水蒸気は、上部に近接して設けた水蒸気過熱用ヒーター１３ａ，１３ｂにて１００℃を超える温度に過熱され、過熱蒸気となり、発酵及び焼成室１１内に充満する。
これにより、発酵及び焼成室内が還元雰囲気になる。
なお、本実施例は、水蒸気の発生口に過熱用のヒーターを設けた例になっているが、外部で過熱蒸気を発生させ、それを発酵及び焼成室内に投入してもよい。
【００１３】
発酵工程に用いる場合には、イースト菌の発酵に適した生地が約３０〜３５℃になるように加熱ヒーター１４ａ，１４ｂにて加熱する。
本発明者らの実験では、発酵及び焼成室の温度を１１０〜１２０℃にすると、約２０〜３０分間で発酵が完了した。
次に、そのまま加熱ヒーター１４ａ，１４ｂの出力を上げ、雰囲気温度を１３５〜２００℃にすると、１５〜２０分程度で、ふっくらと焼き上がる。
【符号の説明】
【００１４】
１１      発酵及び焼成室
１２      水蒸気発生器
１２ａ    容器
１２ｂ    ヒーター
１３ａ    水蒸気過熱用ヒーター
１３ｂ    水蒸気過熱用ヒーター
１４ａ    加熱ヒーター
１４ｂ    加熱ヒーター
【図１】
2018161260.tif 000003
(57)【要約】【課題】従来にはない、一つの煎餅で焼き煎餅と揚げ煎餅と醤油等の調味料との三種の味の融合と食感を楽しむ事が出来る煎餅を造る事にある。【解決手段】乾燥した煎餅生地を焼成した後、高温の油を煎餅の表層部に、焼成した煎餅の重量比で５％以上の油を含ませる様に揚げる。表層部は高温の油により煎餅の水分が蒸発し、醤油等の調味料の浸透が良くなる。表層部に含ませる油の量を増減することにより、味と食感の範囲が広がる。煎餅の形状は問わず、表層部に含ませる油の量は揚げる時間を調節する事で形状に合った味と食感が得られる。サラダ煎餅は、焼成した煎餅の表層部に油を薄く掛けて味付けするのが一般的なので、本発明との比較が出来る。【選択図】図１
2018014989.tif 000002
【特許請求の範囲】
【請求項１】
乾燥した煎餅生地を焼成した後、高温の油を煎餅の表層部に、焼成した煎餅の重量比で５％以上の油を含ませる様に揚げる。
【請求項２】
煎餅が、おかき又はあられ等にも応用出来る請求項１に記載の方法。
【発明の詳細な説明】
【技術分野】
【０００１】  本発明は、一つの煎餅で焼き煎餅と揚げ煎餅と醤油等の調味料との三種の味の融合と食感を楽しむ事が出来る。
【背景技術】
【０００２】  従来の煎餅は、生地を焼成した後醤油等の調味料で味付けする焼き煎餅と、油で生地の中心部まで揚げて味付けする揚げ煎餅と、生地を焼成した後油を薄く掛けて味付けするサラダ煎餅等がある。
【発明の概要】
【発明が解決しようとする課題】
【０００３】  従来にはない、一つの煎餅で焼き煎餅と揚げ煎餅と醤油等の調味料との三種の味の融合と、食感を楽しむ事が出来る煎餅を造る事にある。
【課題を解決するための手段】
【０００４】  乾燥した煎餅生地を焼成した後、高温の油を煎餅の表層部に、焼成した煎餅の重量比で５％以上の油を含ませる様に揚げる。表層部は高温の油により煎餅の水分が蒸発し、醤油等の調味料の浸透が良くなる。表層部に含ませる油の量を増減する事により、味と食感の範囲が広がる。煎餅の形状は問わず、表層部に含ませる油の量は揚げる時間を調節する事で形状に合った味と食感が得られる。サラダ煎餅は、焼成した煎餅の表層部に油を薄く掛けて味付けするのが一般的なので、本発明との比較が出来る。
【発明の効果】
【０００５】  焼成した煎餅の表層部に高温の油を、焼成した煎餅の重量比で５％以上含ませる様に揚げると、表層部は浸透した油と醤油等の調味料とで調和された味となる。中心部は焼成したパリパリの焼き煎餅の食感で、焼き煎餅と揚げ煎餅と醤油等の調味料との三種の味の融合と食感を楽しむ事が出来る。
【図面の簡単な説明】
【０００６】
【図１】  焼成した煎餅の重量比で５％以上の高温の油を、煎餅の表層部に含ませる様に揚げた切断面の説明図である。
【図１】
2018014989.tif 000003
(57)【要約】【課題】データ共有により高効率にＯＰや外部営業員を顧客の中からも採用し、営業成果と営業組織強化を加速する。【解決手段】網上に個人名簿ＤＢ００１を置き、ＯＰ１０１は情報端末３０１に順次表示される個人２０１に対して、各個人５０１に応じたＤＢまたはシステム管理者により最適化された営業マニュアル００２を使い、電話、メール、ＳＮＳの連絡表示機能等３０２を使用して、対象商品またはサービスの営業４０１または意識調査４０２、および外部営業員１０２の営業行動４０３の支援４０４を行う。１０１および１０２は５０１の中から４０１から４０３によって得られた本ＯＰ１０１または外部営業員１０２の適性者１０３または業務参加希望者１０４を本システムの人材として採用する事により、更なる営業実績を加速。さらにシステムに自ら登録したい個人５０２が本人の意思でＤＢ００２に登録する方法。【特許請求の範囲】
本システム（以下システム）は、インターネット（以下網）上に個人名簿データベース（以下ＤＢ）００１を置き、オペレーター（以下ＯＰ）１０１は情報端末３０１に順次表示される個人２０１に対して、各個人５０１に応じたＤＢまたはシステム管理者により最適化された営業マニュアル００２を使い、電話、メール、ＳＮＳの連絡表示機能等３０２を使用して、対象商品またはサービスの営業４０１または意識調査４０２、および外部営業員１０２の営業行動４０３の支援４０４を行う。１０１および１０２は５０１の中から４０１から４０３によって得られた本ＯＰ１０１または外部営業員１０２の適性者１０３または業務参加希望者１０４、またはこの業務参加希望のその他の人をシステムの人材として採用する事により、更なる営業実績を加速させる。また００２はデータ量の蓄積等により動的に進化する。
さらに００１に自ら登録したい個人５０２が本人の意思でＤＢ００２に登録する場合もある。この時００２と００１は内容により連携する。
これらを行う営業加速方法。
【発明の詳細な説明】
【技術分野】
【０００１】この考案は、網上の名簿の見込み顧客または既存顧客に対して複数の営業員が役割分担して営業成果を加速する方法に関するものである。
【背景技術】
【０００２】  具体的には、網上に個人名簿ＤＢ００１を置き、ＯＰ００２は順次表示される個人００３に対して、各個人に応じた営業マニュアル００４を使い、電話、メール、ＳＮＳの連絡表示機能等００５を使用して、対象商品またはサービスの営業００６または関連調査００７、および外部営業員００８の営業行動００９の支援を行う。
【発明の詳細な説明】
【技術分野】
【０００３】本発明は網等電子的通信手段等で繋がった営業組織又は営業員を構成員とし、営業ノウハウ等を共有し、ＯＰは網環境と必要な端末の操作ができる空間と時間を短時間でも得られれば、着実に営業を進められる技術に関する。
さらに、その業務の参加が容易なことから多様な人材を顧客の中から増強することが出来、人員を加速させる事により営業実績を加速度的に増加させる方法の技術に関する。
【発明が解決しようとする課題】
【０００４】データ共有により営業効率を上げ、業務への数分単位での参加が可能な為、ＯＰや外部営業員を顧客の中その他からも採用し、営業成果と営業組織強化を加速する。
【課題を解決するための手段】
【０００５】本課題の主運営者６０１を選挙実務責任者の例で業務の一部を再現することにより手段を説明する。
【０００６】網上に個人名簿ＤＢ００１を置き、そのデータ登録は、最初は公開されて簡単に入手可能な電話帳などあるいは６０１が入手可能な同窓会名簿等から個人の住所氏名電話番号等を情報入手先８０１と共に登録する。更に選挙人名簿８０２その他からデータを補強する。
【０００７】システムにログインしたＯＰ１０１は情報端末３０１に表示される、今回アプローチでＯＰ及び他のＯＰが連絡済みデータや他ＯＰ連絡中以外の個人２０１一人分の接触手段が表示された見込み顧客２０２に対して、網上の営業マニュアル００２を使い、電話で選挙の立候補予定者及び当該選挙政策などについての営業４０１または意識調査４０２を行い、そのデータを登録。これらが１０１の１単位の仕事である。更に次の見込み顧客が表示される。ＯＰ１０１は自分の勤務可能時間によってこの場でログアウト出来る。そのことにより数分単位の空き時間を有効利用出来る勤務が可能となる。
【０００８】２０２の表示順位、００２はシステム管理者により、その表示内容を随時変更可能で、例えば「候補者が今●●町××で街頭演説していますので是非聴きに行って下さい。」と近所の人に告知することが出来る。
例えば年齢や性別職業属性などに応じた政策説明も可能だ。
【０００９】１０１および１０２は５０１の中から４０１〜４０３によって得られた本ＯＰ１０１または外部営業員１０２の適性者１０３または業務参加希望者１０４を本システムの人材として採用する事により、更なる営業実績（ＯＰの増強・街宣の動員・ポスター貼りの采配・ビラ配り・公選はがきの作成・票固め）を加速させる。
【００１０】さらに００１に自ら登録したい個人５０２が本人の意思で００１に登録するＤＢ００２と連携を図り、０００６例示の候補者または政策に共感や興味を示す個人５０３に対して０００５〜０００７を実施する。
【発明の効果】
【００１１】主運営者６０１は本発明を用いることで、変化に即応し変化を加速させる営業の方法、組織、人員７０１を持つことができる。
【００１２】７０１はきめ細かい顧客志向を掴む事により進化する営業ノウハウで更なる営業力向上・人材確保・営業実績向上に繋げる事ができる。
(57)【要約】      （修正有）【課題】吸湿性のあるカバードヤーンの構造を利用してゴム成分に人体に悪影響を与えない程度のごく微量の放射線によって、身体細胞を刺激し、免疫力や自然治癒力を高める放射線ホルミシス効果を持たせたガンマー線放射性カバードヤーンの提供。【解決手段】合成ゴムまたは天然ゴム１００重量部に対し、グラムあたり２００から１０００ベクレルのラジウム鉱石パウダーを１５〜１００重量部を混合して加硫させ、ガンマー線測定器の接触時の放射線量が３〜２０ｍＳｖ/y（年間ミリシーベルト）である芯糸を製造し、これを巻糸で１重又は二重に巻き付けてなることを特徴とするガンマー線放射性カバードヤーン。【選択図】図２
2018131717.tif 000002
【特許請求の範囲】
【請求項１】
合成ゴムまたは天然ゴム１００重量部に対し、グラムあたり２００から１０００ベクレルのラジウム鉱石パウダーを１５〜１００重量部を混合して加硫させ、ガンマー線測定器の接触時の放射線量が３〜２０ｍＳｖ/y（年間ミリシーベルト）である芯糸を製造し、これを巻糸で１重又は二重に巻き付けてなることを特徴とするガンマー線放射性カバードヤーン。
【請求項２】
請求項１のカバードヤーンで製造される身装品。
【発明の詳細な説明】
【技術分野】
【０００１】
この発明は、ゴム製品の加硫剤としてガンマー線放射パウダーを用いてゴム糸を架橋し、加硫後、巻き糸でカバーしたガンマー線の継続利用が図れるガンマー線放射性カバードヤーン及びそれを用いたサポータ等の身装品に関するものである。
【背景技術】
【０００２】
従来、ゴム製品の加硫とは一般にゴムの熱硬化のことを加硫／架橋と呼び、加硫とは、生ゴムに硫黄を混ぜ合わせた上で加熱する事により引き起こる化学反応で、ゴムの分子鎖同士の一部分を硫黄が結合させる編み目状の構造になることをいう。この化学反応を経て、ゴムは強靱な弾性と安定した耐熱性を持つようになる。
一般に「架橋」の意味も「加硫」と同じ意味で用いられるが、硫黄以外の有機過酸化物や金属酸化物、有機アミン化合物などを使用して分子結合させることを「架橋」と呼ぶ。このゴム弾性を得るための架橋方法は多種多様で網目状の分子結合の配列の中に架橋部分をつくることにより、液状のように柔らかい物質からエボナイトのように堅い物質まで幅広い弾性物をつくることができる。
【０００３】
ところで、人体に悪影響を与えない程度のごく微量の放射線によって、身体細胞を刺激し、免疫力や自然治癒力を高める効果として放射線ホルミシス効果を利用するシート等の身装品（特許文献１）、カーペット等の内装品（特許文献２）が提案されている。
【先行技術文献】
【特許文献】
【０００４】
【特許文献１】特開２００５−９５４７３号公報
【特許文献２】特開２００９−０１９３０１号公報
【発明の開示】
【発明が解決しようとする課題】
【０００５】
しかしながら、従来、身装品又は内装品に放射性能を付与するにはシート又はパッキン層にラジウム鉱石粉末を混合して製品化するのが一般的で、吸湿性の必要なシャツ、サポータにホルミシス効果を持たせるのは至難である。なぜなら、身体に着用する身装品にはホルミシス効果だけでなく、ホルミシス効果では体温が上昇するので吸湿性はぜひとも必要な要素である。
そこで、本発明は吸湿性のあるカバードヤーンの構造を利用してゴム成分にホルミシス効果を持たせ、これを用いて吸湿性のある身装品を提供することを目的とする。
【課題を解決するための手段】
【０００６】
本発明はカバードヤーンの芯糸の成分となるシリコンゴム、ブタジエン等の合成ゴムおよび天然ゴムをガンマー線放射パウダーで架橋すると、カバードヤーンの構造を利用して身装品にホルミシス効果を持たせることができることに着目してなされたもので、合成ゴムまたは天然ゴム１００重量部に対し、グラムあたり２００から１０００ベクレルのラジウム鉱石パウダーを１５〜１００重量部を混合して加硫させ、ガンマー線測定器の接触時の放射線量が３〜２０ｍＳｖ/y（年間ミリシーベルト）である芯糸を製造し、これを巻糸で１重又は二重に巻き付けてなるカバードヤーンにある。
【発明の効果】
【０００７】
カバードヤーンの構造を利用すると、ゴム製の芯糸をラジウム鉱石粉末で架橋するので
、所望の弾性を有するゴム成分にホルミシス効果を持たせるとともに、巻糸により吸湿性を持たせることができるので、ホルミシス効果を身装品の吸湿性を害することなく、持たせることができる。よって、医療用ゴムサポータとして利用されると、ゴムサポート部分から３〜２０ｍＳｖ／ｙのガンマー線が放射され、照射部位の血流を増進する。
【図面の簡単な説明】
【０００８】
【図１】本発明で用いるラジウム鉱石パウダーの成分と測定結果を示す表である。
【図２】本発明のシングル及びダブルカバードヤーンの構造を示す側面図である。
【発明を実施するための形態】
【０００９】
以下、本発明について更に詳しく説明する。
【００１０】
ゴム組成物中には、通常、ジクミルパーオキサイド等の加硫剤が配合されるが、これと併用することにより所望のガンマー線照射のホルミシス効果を与えつつ均等な加硫及び所望硬度の加硫を達成することができる。このゴム組成で芯糸になるポリウレタン弾性糸等の合成ゴム糸又は天然ゴム糸を芯糸とし、これに他の紡績糸やフィラメントを巻き付けてカバードヤーンを製造する。カバードヤーンには図２に示すようにゴム製芯糸を延伸したところに他の糸をＳ字方向かＺ字方向のどちらか一方に一重に巻き付けたシングルカバードヤーンとするか、芯糸を延伸したところに他の糸をそれぞれＳ字方向とＺ字方向に二重に巻き付けたダブルカバードヤーンとすることができる。本発明のカバードヤーンには、所望のガンマー線照射効果を有するゴム製芯糸に他の糸をカバーリングしたフィラメントツイストヤーン、コアスパンヤーン、エアカバードヤーンを含み、これらの形態とするにより吸湿性を有する身装品とすることもできる。
【００１１】
カバードヤーンのゴム製芯糸組成物の好適な実施態様の一例を以下に示す。
〔実施例〕
天然ゴム                                  １００重量部
ラジウム鉱石パウダー（５００ベクレル／ｇ）１５〜５０重量部
パーオキサイド０．１〜５．０重量部
加硫条件：常温で３０〜６０分混練し、好ましくは１５５℃±１０℃の条件で５〜２０分間加硫を行う。
なお、ここでラジウム鉱石パウダーとしては、図１の性能を示すつげ石材のラジウム鉱石パウダーを用いた。
【図１】
2018131717.tif 000003
【図２】
2018131717.tif 000004
(57)【要約】      （修正有）【課題】衣料用ウーリナイロンからなるロープ、紐は、耐光性、引っ張り強度が弱く、園芸や作業用に用いた場合には作業効率が低く、危険性が高い。引っ張り強度と耐光性に優れた強化ロープ、組紐、テープの提供。【解決手段】耐光性と引っ張り強度の弱劣な衣料材のウーリナイロンに強力繊維糸のエステル糸等を混合してなる強化ロープ、組紐、テープ。更には、ウーリナイロンのロープ、組紐、テープにポリエチレンやポリプロピレン糸等の黒色染め糸の混合した耐光性強化ロープ、組紐、テープ。【選択図】図１
2018131719.tif 000002
【特許請求の範囲】
【請求項１】
耐光性と引っ張り強度の弱劣の衣料材のウーリナイロン  に強力繊維糸のエステル糸等を混合してなる，強化ロープ  組紐  テープ。
【請求項２】
上記ウーリナイロンのロープ  組紐  テープの耐光性強化にポリエチレンやポリプロピレン糸等の黒色染め糸の混合で耐光性  強化。
【発明の詳細な説明】
【技術分野】
【０００１】作業用のロープ  紐に関する。
【背景技術】
【０００２】衣料用ウーリナイロンでのロープ  紐は耐光性  引っ張り強度の弱劣の課題を有す
【発明の概要】
【発明が解決しようとする課題】
【０００３】上記０００２に記載の耐光性に引っ張り強度が弱く、園芸や作業用にも、ほかのロープ  紐よりも弱く、作業効率が低く、危険性が高いので上記０００２に記載の課題を解決。
【課題を解決するための手段】
【０００４】請求項１に記載のエステル糸等の強力糸を混合して増強の手段に。
請求項２に記載の黒色染め糸の混合で耐光性の強化。
【発明の効果】
【０００５】上記  請求項１に」記載のエステル糸の強力糸を混合の採用で増強して作業安全度を得て。請求項２の黒染め糸の混合の採用で、耐光性の強化を得て品質の向上、用途の拡大。
【図面の簡単な説明】
【０００６】
【図１】本発明のロープ実施例の斜視図。
【図２】本発明の組紐の実施例の斜視図。
【発明を実施するための形態】
【実施例Ｉ】
【０００７】請求項１の採用で、混合  ロープ  紐の引っ張り強度の増強で従来より細く軽いロープ  紐でも使用でき、用途の拡大。
【実施例２】
【０００８】請求項２の採用で耐光性の増強を得て、家庭菜園に農産業に用途の拡大。
【符号の説明】
【０００９】図１  図２に示す（Ｉ）はロープ  紐の切断面。  （２）はロープ  紐の表面。
【図１】
2018131719.tif 000003
【図２】
2018131719.tif 000004